(57)【要約】【課題】組合せ秤において、粉粒体や針状物品や紅茶葉などを微少量計量する場合の微量供給ができる分散供給装置を提供する。【解決手段】上面が中央部から外周に向けてなだらかな下降傾斜を伴った鍋蓋状の分散盤と、該分散盤の外周縁は斜め下方向に折り曲げられた滑落部とを有し、更に該分散盤の外周縁部には計量器の数に応じた数の外方に突設したつの状部を有した分散フィーダを備え、該分散フィーダの上記鍋蓋状の分散盤の外周縁部下方であって上記鍋蓋状の分散盤に接触しないようにラップして位置する複数の段差を設けた直進フィーダトレイとを備え、上記突設したつの状部は上記分散フィーダの分散トレイ外周縁部下方からラップして位置する複数の段差を設けた直進フィーダトレイの各々の隣接するトレイ部間の間隙を上方から上記直進フィーダトレイに接触しないように覆う構成とした構造。【選択図】  図１
0003176117.tif 000002
【実用新案登録請求の範囲】
【請求項１】
上面が中央部から外周に向けてなだらかな下降傾斜を伴った鍋蓋状の分散盤と、該分散盤の外周縁は斜め下方向に折り曲げられた滑落部とを有し、更に該分散盤の外周縁部には計量器の数に応じた数の外方に突設したつの状部を有した分散フィーダと、該分散フィーダの上記分散盤の外周縁部下方であって上記分散盤に接触しないようにラップして位置する複数の段差を設けた直進フィーダトレイとを備え、上記突設したつの状部は上記分散フィーダの上記分散盤の外周縁部下方からラップして位置する複数の段差を設けた上記直進フィーダトレイの各々の隣接するトレイ部間の間隙を上方から上記直進フィーダトレイに接触しないように覆う構成とした組合せ秤の分散供給装置。
【請求項２】
上記直進フィーダトレイは、物品が搬送される方向から見た該トレイの断面形状がＶ字形に形成されるとともに複数の段差を設けたことを特徴とする請求項１に記載の組合せ秤の分散供給装置。
【考案の詳細な説明】
【技術分野】
【０００１】
この考案は、組合せ秤の各計量ホッパへ物品を供給するための分散供給装置の改良に関するものである。
【背景技術】
【０００２】
従来このような分散供給装置としては特許文献１に示されているものが知られている。この考案では図３（Ａ）に示されている第２図のように、分散トレイ２は本体２ａと角（つの）状部２ｂとからなり本体２ａの上面が中央部から外方に向けて下降傾斜して傘状に形成されており、計量器の数に応じて放射状に突出した形状になっている。そして、その外周下方には隣り合う直進フィーダ６の始端部の側壁７の上側に接触しないように跨って位置するように構成されている。また、図３（Ｂ）に示されている第３図においては、その側面が示されている。この図で示されている直進トレイ８は底面が平面上になっており、その先端部分は中間ホッパ１０に達している。
【０００３】
上記文献の構造の技術では、分散トレイ２の中央部Ａ近傍に物品を供給した場合、互いに絡み合ってかたまりやすい物品や扁平な物品を連続した滑らかな流れ状態に分散供給できるが、連続した流れの中から少量ずつ切り出すような場合は、切り出し量が大きくばらつき安定しない。
【０００４】
また、特許文献２に示されている技術においては、物品の搬送方向において複数の段差を設けたトラフが記載されている。しかし、この技術は単独のトラフである。つまりこのトラフに流れ込んでくる物品は図４の第２図に示されている供給ホッパ１からのみストレートに供給されるので、例えば粒状または円柱状物品には効果があり、ホッパ内でブリッジを生じないものには適している。
【先行技術文献】
【特許文献】
【０００５】
【特許文献１】実開昭５９−１４４５３２号公報
【特許文献２】実開昭５８−０５３７１４号公報
【考案の概要】
【考案が解決しようとする課題】
【０００６】
しかし、組合せ秤で計量する物品は扁平な物品のみならず、針状（お茶葉）に近いものや紅茶葉のようなものがある。これらの物品で要求される計量値は少量をターゲットとしている場合が多い。特許文献２の構造では少量搬送における定量性（俗に言う切れ）が悪い。そこで、組合せ秤でこのような物品を扱う場合、従来技術の特許文献１に示す分散トレイ２と特許文献２に示す振動フィーダトラフ４を組み合わせた構造が考えられるが、分散フィーダと振動フィーダトラフとの単なる組合せだけでは定量性が得られないことが判った。
【０００７】
これは、物品が分散トレイ２に供給されたときの分散トレイ上の層厚の安定性が重要である。つまり、針状（お茶葉）に近いものや紅茶葉のようなものは、分散トレイに供給されたときの物品の状態が平らに分散していなくてはならない。また直進フィーダに供給され始めても分散フィーダ上の層厚にバラツキがあるとその影響が直接現れてくる。
【０００８】
分散トレイ上においては、物品の供給時に多少の層厚のバラツキがあったとしても、分散トレイ上を搬送している間に均一な流れの層が形成されていることが必要である。そして、それと連携して直進フィーダトレイにおいても、物品の塊が生じないような構造が要求される。
【０００９】
組合せ秤においては目標重量が微少な場合、直進フィーダトレイから計量ホッパへ投入される物品は微量なコントロールが必要であるが、従来の分散トレイと直進フィーダトレイの形状では微量供給が難しく、その結果、組合せが見つからず計量精度と計量能力を低下させる原因になっていた。
【課題を解決するための手段】
【００１０】
上述したような課題を解決するために本考案は、上面が中央部から外周に向けてなだらかな下降傾斜を伴った鍋蓋状の分散盤と、該分散盤の外周縁は斜め下方向に折り曲げられた滑落部を有し、更に該分散盤の外周縁部には計量器の数に応じた数の外方に突設したつの状部を有した分散フィーダと、該分散フィーダの上記分散盤の外周縁部下方であって上記分散盤に接触しないようにラップして位置する複数の段差を設けた直進フィーダトレイを備え、上記突設したつの状部は上記分散フィーダの上記分散盤の外周縁部下方からラップして位置する複数の段差を設けた直進フィーダトレイの各々の隣接するトレイ部間の間隙を、上方から上記直進フィーダトレイに接触しないように覆う構成した組合せ秤の分散供給装置である。
【００１１】
また、上記直進フィーダトレイは、物品が搬送される方向から見た該トレイの断面形状がＶ字形に形成されるとともに、複数の段差を設けたことを特徴としている。
【考案の効果】
【００１２】
本考案の分散供給装置は上面が中央部から外周に向けてなだらかな下降傾斜を伴った鍋蓋状の分散盤と、複数の段差を設けた直進フィーダトレイとの組合せにより、少量供給時の分散フィーダ上の物品の供給にバラツキがあっても、物品の層厚を薄く保持することができ、物品を滞りなくスムーズに移送させることができる。また、直進フィーダトレイの形状をＶ字型とし複数の段差を設けたことにより微少量の搬送供給が可能となった。
【図面の簡単な説明】
【００１３】
【図１】本考案における組合せ秤の分散供給装置
【図２】本考案における直進フィーダトレイの形状
【図３】特許文献１の組合せ秤の分散フィーダと直進フィーダの組合せ例
【図４】特許文献２の振動フィーダ
【考案を実施するための形態】
【００１４】
以下、図面にしたがって本考案の実施の形態について説明する。
各図において共通の構成部位は同一番号で示す。１は鍋蓋状の分散盤、２は分散フィーダ、３は外方に突設したつの状部、４は直進フィーダトレイ、５は直進フィーダ、６は直進フィーダを放射状に配置する仮想線、７は架台である。
【００１５】
この考案は前述したような物品を各々の直進フィーダトレイに均一に分散供給するものであり、図１（Ａ）はその組合せ秤の分散供給装置の平面図である。本考案で実施する組合せ秤は円形配列のもので、中央に分散フィーダを設け、その周辺に直進フィーダを放射状に配置するものである。断面図（Ｂ）によって説明する。分散フィーダ２は振動機であって螺旋回転振動を行っている。その上部には鍋蓋状の分散盤１が設けられ該振動機と一体になって振動する。鍋蓋状の分散盤１の外周縁部には斜め下方向に折り曲げられた滑落部３ａが設けられており、分散供給された物品はこの滑落部からＶ字形直進フィーダトレイに搬送される。また、鍋蓋状の分散盤１の外周縁部には外方に突設したつの状部３が計量器の数だけ設けられている。このつの状部３は放射状に複数配置された直進フィーダトレイ４の互いに隣接するトレイ間の隙間を塞ぐもので、直進フィーダトレイとは接触しないだけの間隙を設けて放射状に設置されている。この鍋蓋状の分散盤１の外周部と重なり部である滑落部３ａの部分は、物品の性状や微少量の供給が必要な場合、可及的に低くすることもできる。
【００１６】
図１に示すように本考案の直進フィーダ５は直進運動を行う振動機である。上部に直進フィーダトレイ４が設けられている。直進フィーダトレイ４は底部がＶ字形をしたもの４ａと底部のＶ字形の一部分が平面形状を伴ったもの４ｅ（図２参照）の２種類である。これら２種類の底部には複数の段差を設けている。この段差は直進フィーダトレイ４の後部段差部分４ｄで、鍋蓋状の分散盤１の外周部と重なり部が直進フィーダトレイの第３の段差部分４ｄであり、直進フィーダトレイの第２の段差部分４ｃ更に直進フィーダトレイの第１の段差部分４ｂを設けたものである。つまり直進フィーダトレイ４の先端部ほど段差が低くなっている。
【００１７】
このような構造の分散供給装置は次のように作用する。計量しようとする物品は、図１（Ａ）に示す鍋蓋状の分散盤の中央付近に供給される。この部分に供給された物品は分散フィーダの振動によって放射状に分散して鍋蓋状分散盤の外周部に移送される。この部分には外方に突設したつの状部があり、分散した物品の一部はこのつの状部に乗り上げるが、大半はこのつの状部で分かれ斜め下方向に折り曲げられた滑落部３ａに集まる。滑落部３ａに集まった物品はこの部分で搬送方向が決められてスムーズに直進フィーダトレイの第３の段差部分４ｄに移送される。この時、物品に塊が生じている場合は滑落部３ａから第３の段差部分４ｄに移送されるとき塊が解かれる。それでもなお塊が生じている場合は、第３の段差部分４ｄから直進フィーダトレイの第２の段差部分４ｃ移送されるときその塊は解かれる。そして、順次直進フィーダトレイの第１の段差部分４ｂへと運ばれ均一になった物品はＶ字形直進フィーダトレイ４ａから中間ホッパおよび計量ホッパ（図示していない）に供給される。
【００１８】
さらに今一つの態様として、図２に示す直進フィーダトレイがある。このトレイはＶ字形底部に一部平面部を設けた直進フィーダトレイ４ｇであって、底部の一部に平面部を設ける場合の平面部の幅は物品の形状や塊の大きさにより適宜決定している。
【００１９】
本考案の効果的な態様としては、複数の段差部を設けたＶ字形トレイと鍋蓋状の分散盤とを組み合わすことにより微少量の計量に適するものとなった。
【産業上の利用可能性】
【００２０】
本考案によれば、組合せ秤における被計量物（物品）の扱いが難しい粉粒体の少量計量などに利用できるので、例えば家畜の飼料を秤取りする分野にも応用できる。
【符号の説明】
【００２１】
１  鍋蓋状の分散盤
２  分散フィーダ
３  外方に突設したつの状部
３ａ  斜め下方向に折り曲げられた滑落部
４  直進フィーダトレイ
４ａ  Ｖ字形直進フィーダトレイ
４ｂ  直進フィーダトレイの第１の段差部分
４ｃ  直進フィーダトレイの第２の段差部分
４ｄ  直進フィーダトレイの第３の段差部分
４ｅ  直進フィーダトレイの後部重なり部
４ｆ  直進フィーダトレイの隣接重なり部
４ｇ  Ｖ字形底部に一部平面部を設けた直進フィーダトレイ
４ｈ  Ｖ字形底部の一部平面部
５  直進フィーダ
６  直進フィーダを放射状に配置する仮想線
７  架台
【図１】
0003176117.tif 000003
【図２】
0003176117.tif 000004
【図３】
0003176117.tif 000005
【図４】
0003176117.tif 000006